【手続補正書】
【提出日】平成20年2月20日(2008.2.20)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】特許請求の範囲
【補正方法】変更
【補正の内容】
【特許請求の範囲】
【請求項１】
記録ヘッドを用いて被記録材に記録を行う記録装置において、
記録ヘッドを搭載するためのキャリッジと、
記録ヘッドのヘッド基板と電気的に接続するための圧接ピンと、前記キャリッジの位置検出のためにリニアスケールを読み取るエンコーダと、を有するキャリッジ基板と、
を備え、
前記キャリッジ基板は、前記キャリッジの記録ヘッドと対向する側の壁面に取り付けられることを特徴とする記録装置。
【請求項２】
前記圧接ピンは金属で形成されることを特徴とする請求項１に記載の記録装置。
【請求項３】
前記エンコーダは、前記キャリッジ基板の前記圧接ピンが配される面と反対側に配されることを特徴とする請求項１または２に記載の記録装置。
【請求項４】
ＦＦＣが挿入されるＦＦＣコネクタが、前記キャリッジ基板の前記圧接ピンが配される面に配されることを特徴とする請求項３に記載の記録装置。
【請求項５】
記録ヘッドを前記キャリッジに装着する際の案内部を有するキャリッジカバーを前記キャリッジに固定することを特徴とする請求項１ないし４のいずれか１項に記載の記録装置。
【請求項６】
前記キャリッジカバーは、前記キャリッジ基板を保護するための目隠し部を有することを特徴とする請求項５に記載の記録装置。
【請求項７】
前記記録ヘッドは、吐出口からインクを吐出して記録を行うインクジェット記録ヘッドであることを特徴とする請求項１ないし６のいずれか１項に記載の記録装置。
【手続補正３】
【補正対象書類名】明細書
【補正対象項目名】０００１
【補正方法】変更
【補正の内容】
【０００１】
【発明の属する技術分野】
本発明は、記録ヘッドを用いて被記録材に記録を行う記録装置に関する。
【手続補正４】
【補正対象書類名】明細書
【補正対象項目名】０００４
【補正方法】変更
【補正の内容】
【０００４】
一方、記録動作の方式には、シリアル方式とライン方式があり、シリアル方式においては、一般に、記録紙に対して移動するキャリッジに記録ヘッドを搭載し、記録ヘッドを記録情報に基づいて駆動するとともに該記録ヘッドて主走査しながら１ライン分を記録し、次いで記録紙を所定ピッチだけ紙送り（副走査）して次の１ラインを記録し、以後これらの動作を繰り返して記録紙全体に対する記録を行うという記録動作が行われる。
【手続補正５】
【補正対象書類名】明細書
【補正対象項目名】０００８
【補正方法】変更
【補正の内容】
【０００８】
【発明が解決しようとする課題】
しかしながら、図１５に示すような従来のインクジェット記録装置のキャリッジ構成においては、次のような解決すべき技術的課題があった。
例えば、圧接コネクタ５２０の圧接ピン５２０Ａのピン数は約４０ピン程度であり、１ピン当たり最大１００ｇの荷重を想定すると、圧接コネクタ５２０に全体で最大４ｋｇの荷重が加わることになる。そして、この最大４ｋｇの荷重の全てをビス５５０で受けることになる。その際、キャリッジ５１０はプラスチックで形成されているので、ビス５５０で固定する場合は、ビス５５０としてセルフタップビスを使用するか、そうでなければキャリッジ５１０側に金属タップをインサート成形することが必要になる。いずれにしても、キャリッジ５１０のビス固定部５１０Ｃの強度を確保するためには、上下のビス固定部５１０Ｃの間隔Ｌ１をある程度の長さにする必要があり、キャリッジ５１０の小型化にとって不利な要因になってしまう。
【手続補正６】
【補正対象書類名】明細書
【補正対象項目名】０００９
【補正方法】変更
【補正の内容】
【０００９】
また、キャリッジ５１０の全体的な強度に関しても、圧接コネクタ５２０用にキャリッジ５１０に形成される穴（開口）５１０Ｂによる強度低下の分を他の部分で補強することが必要となり、このこともキャリッジ５１０の小型軽量化にとって不利となってしまう。さらに、キャリッジ５１０のヘッド収納ポケット部５１０Ａとキャリッジ基板取り付け部５１０Ｄを一体成形しようとすると、図示の構造からも明らかなように，キャリッジ５１０の形状が複雑になってしまい、このことは製造コストの面で不利になる。
【手続補正７】
【補正対象書類名】明細書
【補正対象項目名】００１０
【補正方法】変更
【補正の内容】
【００１０】
本発明はこのような従来の技術的課題に鑑みてなされたものであり、本発明の目的は、部品点数が少なく簡単かつ安価な構造で、記録ヘッドをキャリッジに確実に固定することができ、キャリッジの小型軽量化を図ることができる記録装置を提供することである。
【手続補正８】
【補正対象書類名】明細書
【補正対象項目名】００１１
【補正方法】変更
【補正の内容】
【００１１】
【課題を解決するための手段】
本発明は、上記目的を達成するため、記録ヘッドを用いて被記録材に記録を行う記録装置において、記録ヘッドを搭載するためのキャリッジと、記録ヘッドのヘッド基板と電気的に接続するための圧接ピンと、前記キャリッジの位置検出のためにリニアスケールを読み取るエンコーダと、を有するキャリッジ基板と、を備え、前記キャリッジ基板は、前記キャリッジの記録ヘッドと対向する側の壁面に取り付けられることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１８
【補正方法】変更
【補正の内容】
【００１８】
記録ヘッド１００の上部の両側には、記録ヘッドをキャリッジ２０にセットするために後述のヘッドセットレバー３５のカム面３５Ｃ（図８）と係合するためのボス１０１が設けられている。両側のボス１０１は左右対称形状で設けられている。また、記録ヘッド１００の下部の両側には、記録ヘッドをキャリッジ２０にセットする際に後述のキャリッジカバー３０の両側に形成された案内部としての溝部３０Ａとスライド係合するための長丸ボス１０２が形成されている。両側の長丸ボス１０２は左右対称形状で形成されている。１０３は記録ヘッド１００をＸ方向（左右方向、主走査方向）にキャリッジ２０に位置決めするための突き当て面であり、この突き当て面１０３は片側にのみ設けられている。
【手続補正１２】
【補正対象書類名】明細書
【補正対象項目名】００２２
【補正方法】変更
【補正の内容】
【００２２】
図４は、記録手段としての記録ヘッド１００のインク吐出部（一つの吐出口列）の構造を模式的に示す部分斜視図である。図４において、記録紙等の被記録材と所定の隙間（例えば、約０．３〜２．０ミリ程度）をおいて対面する吐出口面８６には、所定のピッチで複数の吐出口８２が形成され、共通液室８３と各吐出口８２とを連通する各液路８４の壁面に沿ってインク吐出用のエネルギーを発生するための電気熱変換体（発熱抵抗体など）８５が配設されている。記録ヘッド１００は、吐出口８２が主走査移動方向（キャリッジ２０に搭載される本実施例ではキャリッジ２０の移動方向、矢印Ｘ方向）と交叉する方向に並ぶような位置関係でキャリッジ２０に位置決め固定されている。こうして、画像信号または吐出信号に基づいて対応する電気熱変換体８５を駆動（パルス電圧を印加）して、液路８４内のインクを膜沸騰させ、その時に発生する圧力によって吐出口８２からインクを吐出させる記録ヘッド１００が構成されている。
【手続補正１３】
【補正対象書類名】明細書
【補正対象項目名】００２７
【補正方法】変更
【補正の内容】
【００２７】
キャリッジ２０の上端面のボス部２０Ｃは紙間調整レバー９０を回動可能に軸支するためのボス部であり、このボス部２０Ｃに紙間調整レバー９０が回動可能に軸支されている。図７に示すように、紙間調整レバー９０は矢印Ｖ方向に回転可能であり、紙間調整レバー９０をＶ1 の位置に回転させると紙間調整レバーの面９０Ａがシャーシ８０のガイドレール部８１と摺動するようになり、逆にＶ2 方向に回転させると紙間調整レバーの面９０Ｂがガイドレール部８１と摺動するようになる。面９０Ａと面９０Ｂとではボス部２０Ｃの中心からの距離が異なるので、紙間調整レバー９０を回転させることによりガイドシャフト５０を中心にキャリッジ２０が回転し、その結果として、キャリッジ２０に搭載された記録ヘッド１００の吐出口面８６と記録紙の表面との間隔（紙間距離）を変化させることができる。
【手続補正１４】
【補正対象書類名】明細書
【補正対象項目名】００２９
【補正方法】変更
【補正の内容】
【００２９】
キャリッジ２０に形成された左右２箇所のボス部２０Ｂは、圧接コネクタ４１の位置決め穴４１Ｃと嵌合するためのボス部であり、キャリッジ２０に対する圧接コネクタ４１のＸ方向（左右方向）及びＺ方向（上下方向）の位置決めを行う。キャリッジ２０に形成された左右２箇所の面２０Ａは、圧接コネクタに形成されたボス４１Ｂの頂面４１Ｄ及び位置決め穴４１Ｃの端面４１Ｅを突き当てるための面である。頂面４１Ｄと端面４１Ｅ及び面２０Ａとは、圧接ピン４２の記録ヘッド１００との圧接反力によって互いに圧接され、キャリッジ２０に対する圧接コネクタ４１のＹ方向（前後方向）の位置決めを行う突き当て面を構成するものである。
【手続補正１５】
【補正対象書類名】明細書
【補正対象項目名】００３１
【補正方法】変更
【補正の内容】
【００３１】
図９はキャリッジ２０に取り付けられるキャリッジカバー３０を外側（背面側、表面側）から見た模式的斜視図であり、図１０は図９のキャリッジカバー３０を内側（裏面側）から見た模式的斜視図である。図９及び図１０を参照してキャリッジカバー３０の詳細を説明する。図９及び図１０において、キャリッジカバー３０の内面の両側には、記録ヘッド１００の左右に形成された長丸ボス１０２が係合し長丸ボスをガイドするための案内部としての溝部３０Ａが形成されている。また、キャリッジカバー３０の両側には、キャリッジ２０の左右に形成されたカバー取り付け穴２０Ｉと嵌合することでキャリッジカバーをキャリッジに固定するためのボス部３０Ｂが形成されている。さらに、キャリッジカバー３０には、キャリッジ基板４０、ＦＦＣ４４及びヘッド基板１１０の部位を目隠しするとともに保護（又は露出防止）するための壁面状の目隠し部３０Ｃが一体に形成されている。また、キャリッジカバー３０の片側の下部には、記録ヘッド装着時に記録ヘッド１００をＸ方向（左右方向）の一方向へ押し付けるための弾性部３０Ｄが一体成形で形成されている。
【手続補正１６】
【補正対象書類名】明細書
【補正対象項目名】００３３
【補正方法】変更
【補正の内容】
【００３３】
以下に、図１１〜図１４を参照して、記録ヘッド１００をキャリッジ２０にセットする動作について説明する。図１１に示すように、ユーザーは先ずセットレバー３５を上方向（矢印方向）に回動させる。そうすると、セットレバー３５の第１のカム３５Ｂによって、キャリッジ２０に取り付けられた板バネ２１が退避方向（上方）へ弾性変形する。また、セットレバー３５は、第１のカム３５Ｂの端部に形成された凹部３５Ｄが図示のように板バネ２１の凸部と係合するため、セットレバー３５を図１１の上昇位置に停止させておく（保持する）ことができる。この図１１の状態で、記録ヘッド１００を挿入するが、その際、記録ヘッドの左右の長丸ボス１０２をキャリッジカバー３０の左右の案内部（溝部）３０Ａでガイドしながら、記録ヘッド１００は自重でも落下して図１２に示すような下方位置まで挿入される。
【手続補正１７】
【補正対象書類名】明細書
【補正対象項目名】００３５
【補正方法】変更
【補正の内容】
【００３５】
以上の動作により、記録ヘッド１００は図１４に示すようにキャリッジ２０に位置決め状態で装着される。図１４の装着状態では、図示のように、記録ヘッド１００は、板バネ２１から外力Ｆ0 を受けるとともに、圧接コネクタ４１から圧接反力Ｆ1 を受けている。これらＦ0 及びＦ1 の作用方向は、ほぼ図１４中に示すような方向になる。そして、記録ヘッド１００とキャリッジ２００の各位置決め面（各突き当て面）では、Ｘ方向（左右方向）、Ｙ方向（前後方向）、Ｚ方向（上下方向）に次のような状態で圧接されて位置決めされている。
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】変更
【補正の内容】
【００４０】
【発明の効果】
本発明によれば、部品点数が少なく簡単かつ安価な構造で、記録ヘッドをキャリッジに確実に固定することができ、圧接ピンの圧接圧をキャリッジ全体の剛性で受けることでキャリッジの小型軽量化を図ることができる記録装置が提供される。
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】図面
【補正対象項目名】図４
【補正方法】変更
【補正の内容】
【図４】
2002240264.tif 000001